(57)【要約】【課題】  スリーブ２の突条３とリング４の凹溝５とが確実に嵌合し、ホース６を常に確実に固定することができると共に、ホース６の端末の位置を容易に視認し、ホース６が適切に固定されていることを容易に確認することのできる継手を提供する。【解決手段】  継手本体１から突出してホース６の端末に挿入されるスリーブ２と、当該スリーブ２を挿入されたホース６をその外側から締め付けるリング４とを有するホースの継手において、前記スリーブ２の外周に周方向に伸びる突条３が形成され、前記リング４の内面に前記突条３に嵌合する凹溝５が形成されていると共に、リング４の一側部に、前記凹溝５が突条３に嵌合した状態において前記継手本体１の端面に当接し、且つその内部を透視し得る位置決め手段を設ける。【選択図】          図５
2006307914.tif 000002
【特許請求の範囲】
【請求項１】
継手本体（１）から突出してホース（６）の端末に挿入されるスリーブ（２）と、当該スリーブ（２）を挿入されたホース（６）をその外側から締め付けるリング（４）とを有するホースの継手において、前記スリーブ（２）の外周に周方向に伸びる凹凸条（３）が形成され、前記リング（４）の内面に前記凹凸条（３）に嵌合する凹凸条（５）が形成されていると共に、リング（４）の一側部に、前記凹凸条（３，５）が嵌合した状態において前記継手本体（１）の端面に当接し、且つその内部を透視し得る位置決め手段を設けたことを特徴とする、ホースの継手
【請求項２】
前記位置決め手段が、リング（４）の一側縁に突設された凸部（８）であることを特徴とする、請求項１に記載のホースの継手
【請求項３】
前記位置決め手段が、リング（４）の側部に形成された透視窓（１０）であることを特徴とする、請求項１に記載のホースの継手
【発明の詳細な説明】
【技術分野】
【０００１】
本発明はホースの継手に関するものであって、特に消防用ホース等の比較的薄肉大口径のホースの継手において、その継手とホースとを容易に且つ確実に結合することのできる継手に関するものである。
【背景技術】
【０００２】
従来から、継手本体に突設されたホースの端末に挿入されるスリーブと、当該スリーブを挿入したホースをその外側から締め付けるリングとを有するホースの継手は知られており、広く使用されている。
【０００３】
この場合通常は、スリーブの外周に周方向に延びる凹溝が形成されており、そのスリーブの外側にホースを嵌合し、そのホースの外側から前記凹溝の位置で前記リングを締め付けて固定している。
【０００４】
しかしながらこの構造においては、凹溝の底部の径がスリーブ１の外径より小さいため、リング４で締め付けたときにホースに皺がよって送水時にその皺から漏水したり、リングが水圧で押し拡げられてホースがスリーブから脱落することがあった。
【０００５】
また他の構造として、実公平６−４９９９３号公報や特開２００３−１９４２７５号公報には、図１及び図２に示すように、継手本体１に突設されたスリーブ２の外周に周方向に延びる突条３を形成し、リング４の内面に前記突条３に嵌合し得る凹溝５を形成し、この凹溝５がホース６を介して突条３に嵌合した状態で、リング４を締め付けて固定する構造のものが記載されている。
【０００６】
この構造のものにあっては、突条３の部分でホース６を拡張して締め付けるため、前述のようにホース６に皺がよるようなことはなく、またリング４の幅や厚みが比較的大きくなるため、内圧によりリング４が押し拡げられてホース６がスリーブ２から脱落するようなこともない。
【０００７】
しかしながらこの構造では、図３に示されるようにリング４がスリーブ２の突条３を覆った状態で締め付けることになるため、その締め付けの際にはリング４の外側から突条３の位置を確認することができない。そのため突条３と凹溝５とがずれた状態で締め付けが行われる可能性があり、ホース６を正しく固定できないことがある。
【０００８】
図４に示すようにリング４の側縁を継手本体１の端面に当接した状態で、突条３と凹溝５とが正しく嵌合するように設計することにより、前述のような問題は解消できるが、この場合はホース６の端末７がリング４で覆われていて視認することができない。そのためホース６が突条３と凹溝５との締め付け位置を越えて、確実にスリーブ２に被さっていることを確認することができない。
【０００９】
ホース６は柔軟であるため、そのホース６にスリーブ２を挿入した状態でリング４を締め付ける際にも、往々にしてホース６とスリーブ２とがずれることがある。突条３と凹溝５とによる締め付けは、ホース６の中間部分で締め付けることにより固定効果を生じるが、ホース６がずれて端末７が締め付け位置にかかると、締め付け効果が極端に弱まり、ホース６がスリーブ２から脱落する恐れがある。
【００１０】
またホース６をスリーブ２の奥まで深く被せ、継手本体１とリング４との隙間からホース６の一部を垣間見ることにより、ホース６がスリーブ２の奥まで被さっていることを確認することも可能ではあるが、ホース６の端末７は必ずしもその長さ方向に対して厳密の直角に切断されているとは限らず、また締め付け作業中に歪む可能性もあり、一部が見えたからと言って全周が正しく固定されていると言う保証はない。
【特許文献１】実公平６−４９９９３号公報
【特許文献２】特開２００３−１９４２７５号公報
【発明の開示】
【発明が解決しようとする課題】
【００１１】
本発明はかかる事情に鑑みなされたものであって、スリーブ２の突条３とリング４の凹溝５とが確実に嵌合し、ホース６を常に確実に固定することができると共に、ホース６の端末の位置を容易に視認し、ホース６が適切に固定されていることを容易に確認することのできる継手を提供することを目的とするものである。
【課題を解決するための手段】
【００１２】
而して本発明は、継手本体から突出してホースの端末に挿入されるスリーブと、当該スリーブを挿入されたホースをその外側から締め付けるリングとを有するホースの継手において、前記スリーブの外周に周方向に伸びる凹凸条が形成され、前記リングの内面に前記凹凸条に嵌合する凹凸条が形成されていると共に、リングの一側部に、前記凹凸条が嵌合した状態において前記継手本体の端面に当接し、且つその内部を透視し得る位置決め手段を設けたことを特徴とするものである。
【００１３】
本発明において、前記位置決め手段として、リングの一側縁に凸部を突設したものとすることができる。また本発明における他の位置決め手段として、リングの側部に透視窓を形成することもできる。
【発明の効果】
【００１４】
本発明のホースの継手は、巾の広いリングに凹凸条を形成し、その凹凸条をホースを介してスリーブに形成された凹凸条に嵌合する形式であるので、局部的にホースに皺がよって送水時に漏水したり、リングが水圧で押し拡げられてホースがスリーブから脱落するようなことはないく、確実にホースを固定することができる。
【００１５】
またかかる形式のものであるので、リングの外側からスリーブの凹凸条の位置を確認することはできないが、リングの側部に位置決め手段が形成されているので、当該位置決め手段を継手本体の端面に当接させることにより、リングとスリーブの凹凸条の位置を一致させ、その両者をホースを介して確実に嵌合させることができる。
【００１６】
さらにその位置決め手段は、凸部の間や透視窓により内部を透視し得るものであるので、全周に亙ってその透視位置にホースを視認することにより、前記凹凸条による締め付け位置にホースの端末が位置することはなく。容易に且つ確実に、ホースを適切に固定することができる。
【発明を実施するための最良の形態】
【００１７】
以下本発明の実施の形態を図面に従って説明する。図５は本発明のホースの継手の一形態を示すものであって、継手本体１にスリーブ２が突設され、当該スリーブ２の外周に周方向に延びる環状の突条３が形成されており、そのスリーブ２がホース６の端部に挿入されている。
【００１８】
４はリングであって、当該リング４の内面には前記突条３に嵌合する凹溝５が形成されており、当該凹溝５をホース６を介して突条３に嵌合した状態で締め付け、ホース６をスリーブ２に固定するようになっている。
【００１９】
そして当該リング４の一側縁には、所定の間隔で凸部８が突設されており、当該凸部８の先端が継手本体１の側面に当接した状態で、前記凹溝５が突条３に正しく嵌合するようになっている。
【００２０】
而してこの例においては、スリーブ２にホース６を被せ、その外側からリング４を凸部８が継手本体１の側面に当接するように取付ければ、凹溝５が正しく突条３に嵌合する位置をとる。そして凸部８の間を通してホース６の端末７を見ることができ、ホース６がスリーブ２の奥まで正しく被さっていることを確認することができる。
【００２１】
この状態でリング４を締め付ければ、凹溝５と突条３との位置がずれることはなく、またホース６の端末が締め付け位置にかかることもなく、常に容易に且つ確実にホース６をスリーブ２に固定することができるのである。
【００２２】
また図６は本発明のホースの継手の他の形態を示すものであって、リング４の一側縁に張り出し部９が形成されており、当該張り出し部９に所定の間隔で透視窓１０が形成されている。
【００２３】
而してこの例においては、スリーブ２にホース６を被せ、その外側から張り出し部９が継手本体１の側面に当接するようにリング４を取付ければ、凹溝５が正しく突条３に嵌合する位置をとる。そして透視窓１０を通してホース６の端末７を見ることができ、ホース６がスリーブ２の奥まで正しく被さっていることを確認することができる。
【００２４】
また図７は、スリーブ２に被せられたホース６を、二か所においてリング４で締め付ける場合を示すものであって、継手本体１に近い側のリング４ａは前述のように凸部８を継手本体１に当接した状態で締め付けることにより、突条３と凹溝５との位置を合わせることができると共に、凸部８の間からホース６の端末７を見ることができる。
【００２５】
また継手本体１から遠い側のリング４ｂは、凸部８を前記リング４ａの凸部８が無い側の側縁に当接させた状態で締め付けることにより、突条３と凹溝５との位置を合わせ、適切に締め付けることができる。
【００２６】
なおこの例においては、リング４として図６に示す透視窓１０を有するものを使用することもでき、また三つ以上のリング４で締め付けることもできる。またリング４ｂとしては必ずしも位置決め手段を有する必要はないが、これを有するものを使用することにより、複数種のリングを用意する必要がない。
【００２７】
なお以上の説明では、図８（ａ）に示すように、スリーブ２に突条３を形成し、リング４に凹溝５を形成したものについて述べているが、これと逆に図８（ｂ）に示すように、スリーブ２に凹溝１１を形成し、リング４に突条１２を形成したものとすることも可能である。
【００２８】
さらに図８（ｃ）に示すように、スリーブ２に突条３と凹溝１１を組み合わせた凹凸条を形成し、リング４に凹溝５と突条１２を組み合わせた凹凸条を形成し、これらがホース６を介して互いに嵌合するようにすることもできる。
【図面の簡単な説明】
【００２９】
【図１】継手にホースを取付けた状態の、一部を中央縦断面図で示した側面図
【図２】図１におけるII−II断面図
【図３】従来の継手とホースとの取付け状態を示す側面図
【図４】従来の取付け状態の変形例を示す側面図
【図５】本発明の継手とホースとの取付け状態の一例を示す側面図
【図６】本発明の継手とホースとの取付け状態の他の例を示す側面図
【図７】本発明の継手とホースとの取付け状態のさらに他の例を示す側面図
【図８】本発明におけるスリーブとリングの凹凸条の異る例を示す主要部の断面図
【符号の説明】
【００３０】
１  継手本体
２  スリーブ
３  突条
４  リング
５  凹溝
６  ホース
７  端末
８  凸部
１０  透視窓
【図１】
2006307914.tif 000003
【図２】
2006307914.tif 000004
【図３】
2006307914.tif 000005
【図４】
2006307914.tif 000006
【図５】
2006307914.tif 000007
【図６】
2006307914.tif 000008
【図７】
2006307914.tif 000009
【図８】
2006307914.tif 000010